【手続補正書】
【提出日】平成27年5月21日(2015.5.21)
【手続補正１】
【補正対象書類名】特許請求の範囲
【補正対象項目名】全文
【補正方法】変更
【補正の内容】
【特許請求の範囲】
【請求項１】
第１の画像データと、前記第１の画像データが投射された投射面又は前記第１の画像データが表示された表示面を撮像した第２の画像データとを取得する取得手段と、
前記第１の画像データの座標から前記第２の画像データの座標を求めるための作用素を生成する作用素生成手段と、
前記作用素により前記第１の画像データを第３の画像データに変換する変換手段と、
前記第２の画像データと前記第３の画像データとに基づいて、前記第２の画像データにおける鑑賞不可領域を検出する検出手段と、
前記鑑賞不可領域を前記第３の画像データにより補完した補完画像データを生成する補完画像生成手段と、
前記補完画像生成手段により生成された補完画像データを表示させる表示制御手段とを有することを特徴とする画像処理装置。
【請求項２】
鑑賞対象を異なる２つの視点から撮像して得られる第１の画像データと第２の画像データとを取得する取得手段と、
前記第１の画像データに含まれる前記鑑賞対象が所定の形状となるように前記第１の画像データを変換して基準画像データを生成する基準画像生成手段と、
前記基準画像データの座標から前記第２の画像データの座標を求めるための作用素を生成する作用素生成手段と、
前記作用素により前記基準画像データを第３の画像データに変換する変換手段と、
前記第２の画像データと前記第３の画像データとに基づいて、前記第２の画像データにおける鑑賞不可領域を検出する検出手段と、
前記鑑賞不可領域を前記第３の画像データにより補完した補完画像データを生成する補完画像生成手段と、
前記補完画像生成手段により生成された補完画像データを表示させる表示制御手段とを有することを特徴とする画像処理装置。
【請求項３】
前記表示制御手段は、前記補完画像データを透明ディスプレイに表示させることを特徴とする請求項１又は２に記載の画像処理装置。
【請求項４】
前記検出手段は、前記第２の画像データと前記第３の画像データとの差分に基づいて、前記第２の画像データにおける前記鑑賞不可領域を検出することを特徴とする請求項１乃至３の何れか１項に記載の画像処理装置。
【請求項５】
前記補完画像生成手段は、前記鑑賞不可領域がマスクされた画像データと前記第３の画像データとの論理和をとることにより、前記補完画像データを生成することを特徴とする請求項１乃至４の何れか１項に記載の画像処理装置。
【請求項６】
前記取得手段は、前記第１の画像データが投射された投射面又は前記第１の画像データが表示された表示面を鑑賞者と同一又は略同一視点で撮像することにより得られる画像データを前記第２の画像データとして取得することを特徴とする請求項１に記載の画像処理装置。
【請求項７】
前記第１の画像データは前記鑑賞対象を鑑賞者と異なる視点から撮像して得られる画像データであり、前記第２の画像データは前記鑑賞対象を前記鑑賞者と同一又は略同一の視点から撮像して得られる画像データであることを特徴とする請求項２に記載の画像処理装置。
【請求項８】
画像処理装置によって実行される画像処理方法であって、
第１の画像データと、前記第１の画像データが投射された投射面又は前記第１の画像データが表示された表示面を撮像した第２の画像データとを取得する取得ステップと、
前記第１の画像データの座標から前記第２の画像データの座標を求めるための作用素を生成する作用素生成ステップと、
前記作用素により前記第１の画像データを第３の画像データに変換する変換ステップと、
前記第２の画像データと前記第３の画像データとに基づいて、前記第２の画像データにおける鑑賞不可領域を検出する検出ステップと、
前記鑑賞不可領域を前記第３の画像データにより補完した補完画像データを生成する補完画像生成ステップと、
前記補完画像生成ステップにより生成された補完画像データを表示させる表示制御ステップとを有することを特徴とする画像処理方法。
【請求項９】
画像処理装置によって実行される画像処理方法であって、
鑑賞対象を異なる２つの視点から撮像して得られる第１の画像データと第２の画像データとを取得する取得ステップと、
前記第１の画像データに含まれる前記鑑賞対象が所定の形状となるように前記第１の画像データを変換して基準画像データを生成する基準画像生成ステップと、
前記基準画像データの座標から前記第２の画像データの座標を求めるための作用素を生成する作用素生成ステップと、
前記作用素により前記基準画像データを第３の画像データに変換する変換ステップと、
前記第２の画像データと前記第３の画像データとに基づいて、前記第２の画像データにおける鑑賞不可領域を検出する検出ステップと、
前記鑑賞不可領域を前記第３の画像データにより補完した補完画像データを生成する補完画像生成ステップと、
前記補完画像生成ステップにより生成された補完画像データを表示させる表示制御ステップとを有することを特徴とする画像処理方法。
【請求項１０】
第１の画像データと、前記第１の画像データが投射された投射面又は前記第１の画像データが表示された表示面を撮像した第２の画像データとを取得する取得ステップと、
前記第１の画像データの座標から前記第２の画像データの座標を求めるための作用素を生成する作用素生成ステップと、
前記作用素により前記第１の画像データを第３の画像データに変換する変換ステップと、
前記第２の画像データと前記第３の画像データとに基づいて、前記第２の画像データにおける鑑賞不可領域を検出する検出ステップと、
前記鑑賞不可領域を前記第３の画像データにより補完した補完画像データを生成する補完画像生成ステップと、
前記補完画像生成ステップにより生成された補完画像データを表示させる表示制御ステップとをコンピュータに実行させるためのプログラム。
【請求項１１】
鑑賞対象を異なる２つの視点から撮像して得られる第１の画像データと第２の画像データとを取得する取得ステップと、
前記第１の画像データに含まれる前記鑑賞対象が所定の形状となるように前記第１の画像データを変換して基準画像データを生成する基準画像生成ステップと、
前記基準画像データの座標から前記第２の画像データの座標を求めるための作用素を生成する作用素生成ステップと、
前記作用素により前記基準画像データを第３の画像データに変換する変換ステップと、
前記第２の画像データと前記第３の画像データとに基づいて、前記第２の画像データにおける鑑賞不可領域を検出する検出ステップと、
前記鑑賞不可領域を前記第３の画像データにより補完した補完画像データを生成する補完画像生成ステップと、
前記補完画像生成ステップにより生成された補完画像データを表示させる表示制御ステップとをコンピュータに実行させるためのプログラム。
【手続補正２】
【補正対象書類名】明細書
【補正対象項目名】０００７
【補正方法】変更
【補正の内容】
【０００７】
本発明の画像処理装置は、第１の画像データと、前記第１の画像データが投射された投射面又は前記第１の画像データが表示された表示面を撮像した第２の画像データとを取得する取得手段と、前記第１の画像データの座標から前記第２の画像データの座標を求めるための作用素を生成する作用素生成手段と、前記作用素により前記第１の画像データを第３の画像データに変換する変換手段と、前記第２の画像データと前記第３の画像データとに基づいて、前記第２の画像データにおける鑑賞不可領域を検出する検出手段と、前記鑑賞不可領域を前記第３の画像データにより補完した補完画像データを生成する補完画像生成手段と、前記補完画像生成手段により生成された補完画像データを表示させる表示制御手段とを有することを特徴とする。